(57)【特許請求の範囲】
【請求項１】
背面に融着ユニットを備えるとともに前後に回動可能に支持されたパネル本体と、
入力側の光ファイバコードまたは出力側の光ファイバコードに装着されるとともに、パネル本体の前面に同心円状に配置された複数の固定側の光コネクタと、両端に切替え用の光コネクタが装着されて、その一端が入力側の前記固定側光コネクタに光アダプタを介して抜き差し自在に接続され、他端が出力側の前記固定側光コネクタに光アダプタを介して抜き差し自在に接続されるほぼ同一長さで複数の配線切替え用光ファイバコードと、
を備えたことを特徴とする光配線切替えパネル。
【請求項２】
請求項１記載の光配線切替えパネルにおいて、
配線切替え用光ファイバコードの長さを、固定側光コネクタが配置された円の略直径の長さに等しくしたことを特徴とする光配線切替えパネル。
【発明の詳細な説明】
【０００１】
【発明の属する技術分野】
本発明は光配線切替えパネルに関し、詳しくは盤内に引き込んだ光ファイバケーブルの接続先を容易に変更可能にした光配線切替えパネルに関する。
【０００２】
【従来の技術】
従来、盤内に引き込んだ光ファイバケーブルの接続先を容易に変更可能にするものとして、本出願人が実用新案登録第2580179号として提案した「光ファイバケーブル配線盤」がある。これは、図５に示されるように、光ファイバの接続部であるコネクタを収納したコネクタトレイ４を多段に積層配置したものであり、コネクタトレイ４は、前後に引き出し自在な状態で保持されている。接続を切り替えたい場合は、該当する光ファイバが収納されているコネクタトレイ４を引き出してから、コネクタを取り出し接続を切り替えることができる。
なお、図中の１はフレーム、２は融着トレイ、３は内部フレーム、５，８，９はコードサポート、６はクリンチャ、１０，１１はコードダクトであり、Ｃ1,Ｃ2は光ファイバケーブル心線、Ｃ3,Ｃ4は光ファイバコードである。
【０００３】
【発明が解決しようとする課題】
しかしながら、上述した従来の配線盤は、コネクタトレイ４を引き出してから接続を切り替えるため、同一のコネクタトレイ４に収納されている配線間の切替えに限定されてしまい、異なるコネクタトレイ４との間で配線を切り替えようとすると、光コードの引回し経路を新たに変更しなければならない煩わしさがあった。それに伴い、各種の長さを有する光コードを予め用意しておかなくてはならず、部品の管理やコストの点で問題があった。
そこで、本発明の解決課題は、光配線の切替えを容易にした光配線切替えパネルを提供することにある。
【０００４】
【課題を解決するための手段】
上記課題を解決するために、請求項１の発明は、背面に融着ユニットを備えるとともに前後に回動可能に支持されたパネル本体と、入力側の光ファイバコードまたは出力側の光ファイバコードに装着されるとともに、パネル本体の前面に同心円状に配置された複数の固定側の光コネクタと、両端に切替え用の光コネクタが装着されて、その一端が入力側の前記固定側光コネクタに光アダプタを介して抜き差し自在に接続され、他端が出力側の前記固定側光コネクタに光アダプタを介して抜き差し自在に接続されるほぼ同一長さで複数の配線切替え用光ファイバコードとを備えたことを特徴とする。
【０００５】
請求項２の発明は、請求項１の発明において、配線切替え用光ファイバコードの長さを、固定側光コネクタが配置された円の略直径の長さに等しくしたことを特徴とする。
【０００６】
【発明の実施の形態】
以下、図に沿って本発明の実施形態を説明する。
図１は本発明に係る光配線切替えパネルの実施形態の正面図であり、図２がその右側面図である。
図において、２１はパネル本体であり、下部が蝶番２２により軸支され、前後の回動が可能に支持されている。なお、回動範囲は、垂直方向からパネル本体２１が水平になる９０度の範囲である。パネル本体２１の背面上部には、融着ユニット２３が軸支されている。パネル本体２１の中央部分には、略円形をした頂板２４が支柱２５により支持されている。
【０００７】
頂板２４の外側となるパネル本体２１の位置には、下部を除くほぼ全周に光アダプタ２６が配設されている。この光アダプタ２６は、同心円状に４列配置されているが、換言すると放射状の配置でもある。光アダプタ２６の底部側は、パネル本体２１を貫通して、背面側に露出している。この光アダプタ２６は、光ファイバコードの端部に装着された光コネクタを支持するものである。
すなわち、外部から引き込まれた光ファイバケーブル（図示せず）は融着されて、その融着部と余長部が融着ユニット２３に収納され、次いで、その融着ユニット２３から引き出された光ファイバコード２７の端部に光コネクタ２８が装着され、その光コネクタ２８が光アダプタ２６の底部側に挿入されて保持される。
【０００８】
この光コネクタ２８が固定側の光コネクタとなる。このようにして、各光アダプタ２６の底部側は、入力される全ての光ファイバコード２７と出力される全ての光ファイバコード２７に挿着された光コネクタ２８が挿入されて支持される。このとき、入力側光ファイバコード２７と出力側光ファイバコード２７を区別するため、光アダプタ２６の範囲を定めて挿入する。例えば、光アダプタ２６群の右半分を入力とし左半分を出力とする。
なお、融着ユニット２３は図２に示すように９０度回動可能であるので、融着部の収納作業時に回動されて開放される。ここで、融着ユニット２３はパネル本体２１の背面に複数取り付けられているが、図２では単一のユニット２３のみを示してある。
【０００９】
次に、複数の配線切替え用光ファイバコード２９を用意する。これは、光アダプタ２６の配置された円の直径を基準にし、それに若干の余裕を見込んだ長さの光ファイバコード２９の両端に光コネクタ３１を装着したものである。この光コネクタ３１が切替え用光コネクタである。このコード２９を用いて、配線図等を参照しながら、入力側の光ファイバコード２７の光コネクタ２８に光アダプタ２６を介してコード２９の一方の光コネクタ３１を抜き差し自在に接続し、出力側の光ファイバコード２７の光コネクタ２８に光アダプタ２６を介してコード２９の他方の光コネクタ３１を抜き差し自在に接続する。
【００１０】
このとき、コード２９の中間部は、頂板２４上のガイド３２により、保持されるとともに、その経路は頂板２４のほぼ中心を通るようにする。すなわち、入力側光ファイバコード２７の光コネクタ２８と出力側光ファイバコード２７の光コネクタ２８の位置が１８０度の位置である場合は、コード２９は図１の矢印Ａのように直線状となり、それ以外は矢印Ｂのように略くの字形の経路となる。このように、コード２９は頂板２４の中心位置を通るため、いかなる経路の場合でも、コードの経路長はほぼ同一となる。なお、図中の３３は必要に応じてパネル相互間で光ファイバコード２７を引き回す場合に使用するパネル間ジャンパ用ダクトであり、３４はフレームである。
【００１１】
本発明は以上のように構成したことにより、コード２９の光コネクタ３１を光アダプタ２６に支持されている光コネクタ２８に接続することで、光配線が行われる。
また、こうして一旦、光配線がなされた後に、光配線の変更をしようとする場合は、コード２９の光コネクタ３１を光アダプタ２６に支持されている光コネクタ２８から抜き取り、新たな光コネクタ２８の部分にコード２９を引き回してから光コネクタ３１を光アダプタ２６を介して光コネクタ２８に接続することで、簡単に光配線の切替が行える。
【００１２】
図３は、本発明に係る光配線切替えパネルを上下２段に設置した盤の実施形態を示し、図４は図３の右側面図である。図示されるように、盤３５内で、本実施形態の光配線切替えパネルＰが上下２段に配設されている。上下のパネルＰ間では、パネル間ジャンパ用ダクト３３を介して光ファイバコードが接続される。この例では、２段の構成としたことで、実装密度が増して少ない設置面積で多数の光ファイバコードの切替え処理を可能とした。
【００１３】
【発明の効果】
以上述べたように本発明によれば、入力側の光ファイバコードが接続された固定側光コネクタと、出力側の光ファイバコードが接続された固定側光コネクタとが、配線切替え用光ファイバコードの両端の切替え用光コネクタ及び光アダプタを介して接続されるため、切替え用光コネクタを固定側光コネクタから抜き取り、任意の入力側または出力側光ファイバコードと接続することが可能となる。その結果、光コネクタを抜き差しすることで、入力側の光ファイバコードと出力側の光ファイバコードとの間の光配線切替えが、パネル上で簡単に実施可能となる。
更に、同一のパネル内では配線切替え用光ファイバコード２９の長さが一種類で済むため、複数種類の長さの光ファイバコードを用意する必要がなく、部品管理の煩雑さが解消されてコストの低減にも寄与する。
【図面の簡単な説明】
【図１】本発明に係る光配線切替えパネルの第１の実施形態の正面図である。
【図２】図１の右側面図である。
【図３】本発明に係る光配線切替えパネルの第２の実施形態の正面図である。
【図４】図３の右側面図である。
【図５】従来例を示す図である。
【符号の説明】
２１  パネル本体
２２  蝶番
２３  融着ユニット
２４  頂板
２５  支柱
２６  光アダプタ
２７  光ファイバコード
２８  光コネクタ
２９  配線切替え用光ファイバコード
３１  光コネクタ
３２  ガイド
３３  パネル間ジャンパ用ダクト
３４  フレーム
３５  盤
Ｐ  光配線切替えパネル
【図１】
0004103980.tif 000002
【図２】
0004103980.tif 000003
【図３】
0004103980.tif 000004
【図４】
0004103980.tif 000005
【図５】
0004103980.tif 000006